(57)【要約】    【課題】  消費電力を低減し、温度上昇を抑え、且つ耐衝撃性能を高める。    【解決手段】  カメラ信号処理回路５から出力される映像信号をエンコーダ・でコーダ９によって所定区分毎に圧縮処理してバッファメモリ１３に蓄積し、バッファメモリ１３に蓄積された所定区分毎の圧縮データをＨＤＤ１５に記録するために必要な期間だけ該ＨＤＤ１５を記録動作状態にして前記バッファメモリ１３に蓄積されている該区分毎の圧縮データを該ＨＤＤ１５に記録させ、その他の期間は記録動作を休止状態にする動作制御手段を設けることにより、ＨＤＤ１５の消費電力が大きい記録動作期間を短縮して消費電力及び温度上昇を低減する。【選択図】    図１
2006209958.tif 000002
【特許請求の範囲】
【請求項１】
撮影して得た連続的なアナログ形態の映像信号をディジタル形態の映像信号に変換し、且つ時間軸上で圧縮した圧縮データを信号記録装置に記録する映像記録装置において、
前記信号記録装置に圧縮データを記録させる記録制御手段に、所定周期の区分毎に映像信号を圧縮処理してバッファメモリに蓄積するデータ圧縮手段と、前記バッファメモリに蓄積された所定区分毎の圧縮データを前記信号記録装置に記録するために必要な期間だけ前記信号記録装置を記録動作状態にして前記バッファメモリに蓄積されている該区分毎の圧縮データを前記信号記録装置に記録させ、その他の期間は記録動作を休止状態にする動作制御手段を設けたことを特徴とする映像記録装置。
【請求項２】
請求項１において、前記データ圧縮手段は、ディジタル化された映像信号をＭＰＥＧ( Moving Picture Expert Group ）方式で圧縮することを特徴とする映像記録装置。
【請求項３】
請求項１において、前記データ圧縮手段は、周期Ｔ0で映像信号を区分してデータ圧縮処理を実行し、前記動作制御手段は、各区分毎に記録動作期間Ｔ1と記録動作休止期間Ｔ2を設定して前記信号記録装置の記録動作と記録動作休止を実行させることを特徴とする映像記録装置。
【請求項４】
請求項１において、前記信号記録装置は、該映像記録装置に着脱自在に設けられたカード型のハードディスク装置であることを特徴とする映像記録装置。
【請求項５】
請求項４において、前記動作制御手段は、記録動作休止期間は記録ヘッドを記録ディスク表面から待避させることを特徴とする映像記録装置。
【請求項６】
請求項４において、前記データ圧縮手段は、周期Ｔ0で映像信号を区分してデータ圧縮処理を実行し、前記動作制御手段は、各区分毎に記録動作期間Ｔ1と記録動作休止期間Ｔ2を設定して記録動作と記録動作休止を制御することを特徴とする映像記録装置。
【請求項７】
請求項６において、記録動作期間Ｔ1は記録動作休止期間Ｔ2よりも短くしたことを特徴とする映像記録装置。
【請求項８】
請求項７において、前記記録動作期間Ｔ1には磁気ヘッドをシーク，ローディング，アンローディングする時間を含むことを特徴とする映像記録装置。
【請求項９】
請求項７において、前記記録動作期間Ｔ1は磁気ヘッドをローディングする時間ｔ11，シークする時間ｔ12，記録時間ｔ13，アンローディングする時間ｔ14を含み、（ｔ11＋ｔ12＋ｔ14）＜ｔ13＜Ｔ2としたことを特徴とする映像記録装置。
【請求項１０】
請求項６において、各区分毎の前記記録動作休止期間Ｔ2は、１．５秒以上としたことを特徴とする映像記録装置。
【請求項１１】
請求項１において、前記信号記録装置が記録動作中であることを表示させる表示手段を備えたことを特徴とする映像記録装置。
【請求項１２】
請求項１において、前記信号記録装置は、該映像記録装置に着脱自在に設けられたカード型のフラッシュメモリ装置であることを特徴とする映像記録装置。
【請求項１３】
請求項１において、前記信号記録装置は、その外形が縦寸法５４ｍｍ，横寸法８６ｍｍに規格化されていることを特徴する映像記録装置。
【請求項１４】
請求項１において、前記信号記録装置に記録した圧縮データを読み出してＮＴＳＣ方式またはＰＡＬ方式のテレビ信号を再生する再生手段を備えたことを特徴とする映像記録装置。
【発明の詳細な説明】
【技術分野】
【０００１】
本発明は、撮影して得た連続的な映像信号を記録する信号記録装置を備えたビデオカメラまたはスチルカメラのような映像記録装置またはこれに再生機能を付加した映像記録装置に関し、特にＰＣ（ Personal Computer memory ）カード型の記録媒体を用いた信号記録装置に映像信号を記録または再生する映像記録装置の信頼性向上，消費電力低減及び小型化に関する。
【背景技術】
【０００２】
映像信号記録再生技術として、特開平３−１７５７８４号公報に記載されているビデオ信号記録再生システムは、選択された画面の映像信号をデジタル信号形態に変換した後にデータ圧縮処理を行ってデータ量を減量し、これを着脱可能なメモリパックに蓄積することを提案している。
【０００３】
しかしながら、このビデオ信号記録再生システムは、磁気テープに記録されている主映像信号の記録内容の確認を容易にするためにその一部を抽出して記録するものであって、主映像信号の記録に使用されるものではない。
【０００４】
撮影して得た連続的な映像信号を記録するＰＣカード型の信号記録装置を備えたビデオカメラやスチルカメラのような映像記録装置は、信頼性向上，低消費電力化及び小型・軽量化の観点での改善が望まれている。信号記録装置として、例えば、ＰＣカード型の磁気ハードディスク装置（ＨＤＤ＝ Hard Disk Drive ）を用いると、このＨＤＤは、撮影期間の全域で記録動作状態となるので、消費電力が多くなって大容量の電源（バッテリー）が必要となり、また、消費電力が多いことから発熱量も多くなって高温となるために、温度対策も複雑になる。そして、これらは、映像記録再生装置の小型・軽量化をも阻害する。
【０００５】
また、磁気ハードディスクを記録媒体とするＨＤＤは、記録及び再生動作状態では、磁気ヘッドを磁気ハードディスクの表面に０．数ミクロンの間隙で対向するように浮上させた状態（ヘッドローディング）で信号の記録や再生を行うために、振動や衝撃に対して非常に弱い（ヘッドとディスクが接触して損傷し易い）状態にある。例えば、耐衝撃性能が１００ＧのＨＤＤを使用しても、これは、ＨＤＤが１〜２センチメートルの高さから机上に落下したときに作用する衝撃に耐え得る程度のものである。このようなＨＤＤを使用する映像記録装置が携帯用のディジタルビデオカメラである場合には、この値を越える衝撃力が発生する状態に遭遇する可能性が極めて高いことから、ＨＤＤを損傷しにくい状態に実装することが必要である。しかしながら、ＨＤＤを機械的な緩衝部材を介在させて実装することは、ディジタルビデオカメラの小型化や軽量化の障害になる。
【０００６】
ＨＤＤの代わりにフラッシュメモリを記録媒体とする信号記録装置を使用することもできるが、このフラッシュメモリも書き込み動作状態のときには数百ｍＷ程度の電力消費を伴うので、撮影期間の全域にわたって書き込み動作状態を維持すると、消費電力が多くなって、大容量の電源が必要となる。
【特許文献１】特開平３−１７５７８４号公報
【発明の開示】
【発明が解決しようとする課題】
【０００７】
撮影によって得られる連続した映像信号をディジタル化処理及び圧縮処理して信号記録装置に記録する小型の携帯用ディジタルビデオカメラや動画を記録・再生しようとするディジタルカメラでは、このカメラを動作状態としたときの消費電力の大小が極めて重要な要素である。特にＨＤＤを使用した信号記録装置は、このＨＤＤによる電力消費量が極めて多い。そして、電力消費に伴って発生する熱による記録装置全体の温度上昇も問題となる。
【０００８】
また、ＨＤＤは、その構造上、振動や衝撃に対しての信頼性が低いために、ＨＤＤを信号記録装置として使用する映像記録装置は、外部から与えられる振動や衝撃に対する信頼性についても問題となる。
【０００９】
本発明の１つの目的は、消費電力や温度上昇を低減することができる小型の映像記録装置を提案することにある。
【００１０】
本発明の他の目的は、衝撃や振動に対して信頼性の高い小型の映像記録装置を提案することににある。
【００１１】
本発明の更に他の目的は、消費電力や温度上昇が少なく、且つ、衝撃や振動に対して信頼性の高い小型の映像記録装置を提案することにある。
【課題を解決するための手段】
【００１２】
本発明は、撮影して得た連続的なアナログ形態の映像信号をディジタル形態の映像信号に変換し、且つ時間軸上で圧縮した圧縮データを信号記録装置に記録する映像記録装置において、前記信号記録装置に圧縮データを記録させる記録制御手段に、所定周期の区分毎に映像信号を圧縮処理してバッファメモリに蓄積するデータ圧縮手段と、前記バッファメモリに蓄積された所定区分毎の圧縮データを前記信号記録装置に記録するために必要な期間だけ前記信号記録装置を記録動作状態にして前記バッファメモリに蓄積されている該区分毎の圧縮データを前記信号記録装置に記録させ、その他の期間は記録動作を休止状態にする動作制御手段を設けることにより、信号記録装置の消費電力が大きい記録動作状態にする期間を短縮して消費電力及び温度上昇を低減するものである。
【００１３】
また、前記信号記録装置を該映像記録装置に着脱自在に設けられたカード型のハードディスク装置としたときには、振動や衝撃に対して損傷し易い記録動作状態の期間を短縮することにより、振動や衝撃に対する信頼性も向上する。
【００１４】
そして、記録動作期間を記録動作休止期間よりも短くすることにより、消費電力と温度上昇低減及び信頼性向上の効果が大きくなる。
【００１５】
更に、消費電力が低減することにより電源が小型化し、温度上昇が低減することにより温度対策が容易になることから小型化が容易となり、信号記録装置の信頼性が向上することから振動及び衝撃対策が容易になる。
【発明の効果】
【００１６】
本発明は、信号記録装置の消費電力が大きい記録動作状態にする期間を短縮することにより消費電力及び温度上昇を低減することができる。
【００１７】
また、前記信号記録装置をハードディスク装置としたときに、振動や衝撃に対して損傷し易い記録動作状態の期間を短縮することにより、振動や衝撃に対する信頼性も向上する。
【００１８】
そして、記録動作期間を記録動作休止期間よりも短くすることにより、消費電力と温度上昇低減及び信頼性向上の効果が大きくなる。
【００１９】
更に、消費電力が低減することにより電源が小型化し、温度上昇が低減することにより温度対策が容易になることから小型化が容易となり、信号記録装置の信頼性が向上することから振動及び衝撃対策が容易になる効果も得られる。
【発明を実施するための最良の形態】
【００２０】
図１〜図５を参照して本発明の一実施形態を説明する。
【００２１】
図１は、ＮＴＳＣ（ National Television System Committee ）方式またはＰＡＬ（ Phase Alternation Line ）方式のテレビ信号を記録及び再生することができる本発明になる携帯用ディジタルビデオカメラの回路ブロック図である。このディジタルビデオカメラは、撮像部で光電変換して得られる連続的なアナログ形態の映像信号をディジタル形態の映像信号に変換し、更に、ＭＰＥＧ（ Moving Picture Expert Group ）１フォーマットに従って圧縮し、この圧縮データをディジタルメモリーに記録し、再生するものである。
【００２２】
レンズ部１は、ズーム及びアイリス制御が可能な構成であり、フォーカスは固定焦点方式とした。ＣＣＤ（ Charge Coupled Device ）固体撮像素子２は、レンズ部１によって取り込んだ光学的な被写体映像を電気的なアナログ形態の映像信号に変換する。前処理回路３は、ＣＣＤ固体撮像素子２から読み出された映像信号に含まれるＣＣＤ固体撮像素子２に特有の低周波雑音をＣＤＳ（ Correlated Double  Sampling ）回路によって抑圧し、また、ＣＣＤ固体撮像素子２の出力信号の信号レベルを安定にするためにＡＧＣ回路によって自動利得制御を行い、更に、後続するアナログ・ディジタル変換器（ＡＤＣ＝Analog Digital Converter ）４のダイナミックレンジ不足を補うために該前処理回路３に入力される映像信号のレベルに対してＡＤＣ４の入力上限値付近で振幅を制限する機能も備える。
【００２３】
カメラ信号処理回路（ＤＳＰ＝Digital Signal Processor ）５は、前記前処理回路３から出力され、ＡＤＣ４によってディジタル形態に変換された映像信号を入力する。このカメラＤＳＰ５は、図示説明は省略するが、ＡＤＣ４から入力したディジタル形態の映像信号をマトリクス回路により輝度信号Ｙと色差信号Ｕ，Ｖに変換する機能、同期信号を付加する機能、アイリスとシャッター速度の関係を調整する機能、ホワイトバランスを調整する機能、ディジタル的にズーム拡大する機能などを備える。また、このカメラＤＳＰ５は、ＣＣＤ固体撮像素子２に対して水平垂直駆動信号パルスを出力し、同期信号とのタイミングを取りながらＣＣＤ固体撮像素子２から映像信号を読み出すようにしている。
【００２４】
カメラ制御マイコン６は、モータドライバ７を介してアイリス及びズーム駆動用のモータ８を制御し、また、前記カメラＤＳＰ５の動作に必要なパラメータを該カメラＤＳＰ５に供給し、更にカメラシステム全体の制御を管理する。
【００２５】
エンコーダ・デコーダ９は、記録モードにおいては、カメラＤＳＰ５によって生成されたディジタル形態の映像信号（輝度信号Ｙ及び色差信号Ｕ，Ｖ）をディジタルバスラインを介して入力し、ディジタル形態の動画映像信号の標準圧縮フォーマットであるＭＰＥＧ１フォーマットに圧縮（エンコード）してデータ量を約５０分の１程度に減量する。この実施形態においては、エンコーダ・デコーダ９は、１．７２Ｍビット／秒のディジタル形態の圧縮データを生成する。そして、再生モードにおいては、ＨＤＤ１５からバッファメモリ１３に読み出され圧縮データをＭＰＥＧ１フォーマットに従って伸長（デコード）することによりディジタル形態の映像信号を生成し、ディジタルバスラインを介してカメラＤＳＰ５に送出する。
【００２６】
ワークメモリ１０は、前記エンコーダ・デコーダ９がＭＰＥＧ１フォーマットに従ってデータを圧縮／伸長するときに使用するメモリである。
【００２７】
記録・再生制御マイコン１１は、前記エンコーダ・デコーダ９によるデータ圧縮／伸長処理を支援し、データ伝送処理及び動作表示ランプ１２を制御する。
【００２８】
バッファメモリ１３は、この実施形態においては、８Ｍビットの記憶容量のシンクロナスＤＲＡＭを使用して構成する。
【００２９】
この実施形態では、記録・再生制御マイコン１１は、記録モードでは、動画の連続する映像信号を２．３３秒の周期で区分し、１つの区分内の映像信号をＭＰＥＧ１フォーマットに従って約４Ｍビットの圧縮データに減量するように順次圧縮処理してバッファメモリ１３に蓄えるようにエンコーダ・デコーダ９を制御し、バッファメモリ１３に蓄積された１区分（２．３３秒間に相当する）の４Ｍビットの圧縮データをインターフェース回路１４を介してＰＣＭＣＩＡ（ Personal Computer Memory Card International Association の略）が定めたＰＣカード規格のメモリカード型のＨＤＤ１５に約０．７２秒の時間で転送して記録する制御を行ない、再生モードでは、２．３３秒周期の１区分の映像信号を再生するために、該１区分（４Ｍビット）の圧縮データをインターフェース回路１４を介してＨＤＤ１５から約０．７２秒の時間で読み出してバッファメモリ１３に転送して蓄積し、該バッファメモリ１３に蓄えられた圧縮データをエンコーダ・デコーダ９に転送してＭＰＥＧ１フォーマットに従って伸長することにより２．３３秒の時間の映像信号を生成し、ディジタルバスラインによりカメラＤＳＰ５に送出させる制御を行なう。このデータ転送タイミングは、記録・再生制御マイコン１１が生成する。
【００３０】
カードコネクタ１６は、６８ピンの接続端子を備えたＰＣＭＣＩＡ規格のカード接続インターフェースである。
【００３１】
ＨＤＤ１５は、縦５４．４ｍｍ，横８５．６ｍｍ，厚さ１０．５ｍｍに規格化されたものであり、筐体の中に、磁気ハードディスク，磁気ハードディスク回転駆動モータ，サーボ回路，磁気記録・再生ヘッド，ディジタル信号記録処理回路及び２５６ｋビットの入出力インターフェース用バッファメモリを内蔵する。
【００３２】
また、カメラＤＳＰ５は、記録時及び再生時に、内蔵するＮＴＳＣ方式またはＰＡＬ方式のエンコーダとディジタル・アナログ変換器（ＤＡＣ＝ Digital analog converter ）により、ＡＤＣ４またはエンコーダ・デコーダ９から入力されるディジタル形態の映像信号をＮＴＳＣ方式またはＰＡＬ方式のアナログテレビ信号に編成し、映像信号モニター用ＬＣＤ（ Liquid Crystal Display ）モニターパネル１７及び出力端子１８に出力する。
【００３３】
図２は、記録モード時における前記エンコーダ・デコーダ９，記録・再生制御マイコン１１，バッファメモリ１３及びＨＤＤ１５によるデータ圧縮，データ転送，データ書き込みのタイミングを示したタイムチャートである。
【００３４】
（ａ）は、エンコーダ・デコーダ９がカメラＤＳＰ５から出力されるディジタル形態の映像信号をＭＰＥＧ１フォーマットに従って圧縮することにより動画映像圧縮データを生成して記録・再生制御マイコン１１に対して出力する処理タイミングを示している。この実施形態では、１秒間に３０フレーム（映像フレームのかたまりであるＧＯＰ（ Group Of Picture ）が２つ）の割合でデータ圧縮処理を実行し、１．７２Ｍビット／ｓｅｃのデータ列を生成する。１区分のデータ処理量は、２．３３秒分で７０フレーム（圧縮データ量で４Ｍビット）になる。実際には、２フレームを１パケットとして映像信号を圧縮処理する。
【００３５】
（ｂ）は、圧縮データをバッファメモリ１３に転送して蓄積する処理タイミングを示してい。この実施形態におけるＨＤＤ書き込み周期Ｔ0は、２．３３秒であるので、１区分は約２．３３秒間となり、この間に７０フレーム分の４Ｍビットの圧縮データがパケット単位でバッファメモリ１３に転送・蓄積される。
【００３６】
（ｃ）は、ＨＤＤ１５のアクセス（記録動作）タイミングを示している。ここでは、約２．３３秒間にバッファメモリ１３に蓄えた４Ｍビットの圧縮データを短時間のうちにＨＤＤ１５に記録する。この実施形態は、１区分の圧縮データを記録するためにＨＤＤ１５を動作させる記録動作時間Ｔ1を約０．７２秒としている。この記録のために、記録・再生制御マイコン１１は、バッファメモリ１３に蓄積されている圧縮データをパケット単位でＨＤＤ１５内のバッファメモリに転送し、磁気ハードディスクに記録させる。ここで、ＨＤＤ１５は、記録・再生制御マイコン１１から書き込み指令を受けて次のように記録動作する。磁気記録ヘッドを磁気ハードディスク上にローディングする（所要時間ｔ11＝約０．２秒）。ディスク管理領域を参照した後に所望の記録トラックまで磁気ヘッドをシークする（所要時間ｔ12＝０．０１秒）。磁気ディスクにデータをパケット単位で記録する（所要時間ｔ13＝０．３１秒）。磁気記録ヘッドを磁気ディスク上からアンローディング（待避）する（所要時間ｔ14＝約０．２秒）。そして、次の区分について同様な記録を開始するまで休止する（休止期間Ｔ2＝約１．６１秒）。
【００３７】
図３は、このようなデータ圧縮及び圧縮データ記録のためにエンコーダ・デコーダ９及び記録・再生制御マイコン１１が実行する処理のフローチャートである。カメラＤＳＰ５からディジタル形態の映像信号が出力されると、エンコーダ・デコーダ９は、記録・再生制御マイコン１１により制御されて、処理ステップ３０１において前記映像信号を取得し、処理ステップ３０２においてＭＰＥＧ１フォーマットに従って映像信号を圧縮処理する。この圧縮処理は、映像信号の２フレームを１パケットとして実行し、処理ステップ３０３において１パケット分のデータ圧縮終了を確認すると、処理ステップ３０４に移ってこの圧縮データをワークメモリ１０に書き込んで蓄積する。
【００３８】
一方、記録・再生制御マイコン１１は、処理ステップ３０５においてワークメモリ１０から圧縮データを読み出し、処理ステップ３０６において該圧縮データをバッファメモリ１３に書き込む。そして、処理ステップ３０６に移って１区分（４Ｍビット）の圧縮データがバッファメモリ１３に蓄積されたかどうかを確認する。１区分の圧縮データがバッファメモリ１３に蓄積されると、記録・再生制御マイコン１１は、ＨＤＤ１５をデータ記録可能状態とするために、処理ステップ３０８に移ってＨＤＤ１５の磁気ヘッドを磁気ハードディスクにローディングし、記録トラックにシークさせる。その後、処理ステップ３０９に移ってバッファメモリ１３に蓄積されている圧縮データをパケット単位でインターフェース回路１４に転送し、処理ステップ３１０においてＨＤＤ１５に対して書き込み指令を与えて該圧縮データをＨＤＤ１５に記録させる。この書き込みは、処理ステップ３１１において１区分（４Ｍビット）の書き込み終了を確認するまで継続し、書き込みが終了すると、ＨＤＤ１５を休止状態うとするために、処理ステップ３１２に移って該ＨＤＤ１５の磁気ヘッドを磁気ハードディスクから待避（アンローディング）させ、次の区分についてのデータ記録までＨＤＤ１５を休止状態とする。
【００３９】
ＨＤＤ１５は、一般的には、データを記録するために必要な動作状態にあるときには消費電流が非常に大きく、この実施形態で使用したＰＣＭＣＩＡ規格タイプIII型のＨＤＤ１５は、２５０ｍＡの消費電流である。ＨＤＤの消費電力は、大きく分けて次の４つの状態で異なる。磁気ハードディスクを回転させるモータが停止しているスタンバイ状態、モータが回転し始めるスタートアップ状態、モータは回転しているが磁気ヘッドはディスクから待避して記録動作を休止しているアイドル状態、磁気ヘッドが磁気ディスクに対向してデータの読み出しまたは書き込み動作を行うリード／ライト状態である。これらの各状態での消費電力は、スタートアップ状態＞リード／ライト状態＞アイドル状態＞スタンバイ状態の順になっている。
【００４０】
従って、映像記録中にＨＤＤ１５をアイドル状態にして記録動作を休止する時間Ｔ2を作れば、ＨＤＤ１５は、この期間は磁気ディスクの回転を維持するために消費する少ない消費電力状態となり、記録動作時間Ｔ1（＝ｔ11＋ｔ12＋ｔ13＋ｔ14）に比べてこの休止時間Ｔ2が長くなるほど、数分に及ぶ長時間のデータを記録する映像記録においては、システムの消費電力低減効果が大きい。
【００４１】
図４は、本発明になる携帯用ディジタルビデオカメラにおけるバッファメモリ１３の蓄積容量とＨＤＤ１５によるデータ記録のための消費電流の関係を示したものである。横軸はバッファメモリ１３の蓄積容量を示し、縦軸はＨＤＤ１５の総消費電流である。曲線３０はＨＤＤ１５の記憶容量が３４０Ｍバイト、曲線３１はＨＤＤ１５の記憶容量が２６０Ｍバイト、曲線３２はＨＤＤ１５の記憶容量が１７０Ｍバイトのものである。この実施形態は、２０分以上の動画映像記録を実現するために、記憶容量が２６０ＭバイトのＨＤＤ１５を用いた。この特性曲線を参照すれば、一般的なＤＲＡＭの容量である４Ｍビット品を使用したバッファメモリを用いて圧縮データを蓄積するようにしたときに、１００ｍＡ程度の消費電流低減が可能となる。消費電力で考えると、ＨＤＤ１５の電源は一般には５Ｖであるので、５００ｍＷの電力低減が可能となる。小型の携帯用ディジタルビデオカメラの総消費電力は６．０Ｗ程度であることから、８．３％の低減となる。そして、これにより、携帯用機器として非常に重要なバッテリーの寿命も８．３％程改善できることになる。
【００４２】
また、ＨＤＤ１５は、前述したように、記録動作中には振動や衝撃に対して非常に弱い状態にある。しかしながら、この実施形態におけるように記録動作休止期間Ｔ2を設ければ、この期間中は磁気ヘッドが磁気ディスク上から待避している状態にあるために、大きな振動や衝撃が作用しても磁気ヘッドが磁気ディスクに衝突して該磁気ディスクを傷つけたり、データを壊したりすることがない。この実施形態においては、磁気ヘッドが磁気ディスク上に対向する記録動作期間Ｔ1は、１区分（書き込み周期）Ｔ0の１／３の時間であり、振動や衝撃による危険率は１／３に減少し、信頼性が３倍に高められることになる。
【００４３】
図５は、本発明になる非常に小型化された携帯用ディジタルビデオカメラの縦断側面図である。図１に示した回路ブロックと同一の構成部分には同一の参照符号を付してある。レンズ部１とＣＣＤ固体撮像センサ２を内蔵する撮影部２０は、回転結合機構２１によって記録再生部２２に回転可能に結合する。記録再生部２２は、前記前処理回路３〜インターフェース回路１４までの回路素子２３及びＰＣＭＣＩＡカードコネクタ１６を実装した回路基板２４と、前記表示ランプ１２と、前記ＬＣＤモニターパネル１７と、充電型バッテリー２５を内蔵する。カー．ドコネクタ１６には、ＰＣＭＣＩＡタイプIII規格の容量２６０ＭバイトＨＤＤカード１５が装着される。
【００４４】
この実施形態における携帯用ディジタルビデオカメラは、高さ寸法１４４ｍｍ、幅寸法７８ｍｍ、奥行き寸法４３ｍｍの非常に小型な形態に纏めてある。このように装置の小型化が進むと装置内部は高密度に部品が実装されるために、消費電力による内部の温度上昇は大きくなる。このような携帯用ディジタルビデオカメラでは、動画映像を記録する総ての期間にわたってＨＤＤ１５を記録動作状態に維持すると、該ＨＤＤ１５の表面が８０℃前後まで上昇してしまう。ＨＤＤ１５の筐体は構造的に信頼性を高めるために金属製となっているが、着脱のために、表面温度が８０℃に上昇した金属製の筐体をユーザが手で触れると、火傷する危険がある。この実施形態においては、ＨＤＤ１５を携帯用ディジタルカメラに対して着脱可能とし、パーソナルコンピュータなどに移しての利用用性を高めているので、記録時におけるＨＤＤ１５の温度上昇は極力抑えることが必要である。
【００４５】
しかるに、前述したように、所定期間（１区分＝２．３３秒）に発生した記録すべき映像信号を圧縮してバッファメモリ１３に蓄積してから短時間（０．７２秒）のうちにＨＤＤ１５に記録するようにし、余剰時間を休止するようにすることにより、該ＨＤＤ１５の平均的な消費電流は１００ｍＡ程度まで低減することができるため、筐体の表面温度を７０℃以下に抑えることが可能となる。このような表面温度は、触れても危険を感じることが比較的に少ないない温度であり、ユーザはＨＤＤ１５を該携帯用ディジタルカメラから安全に取り出すことが可能となる。
【００４６】
また、消費電力が軽減することにより、充電型バッテリー２５の消耗も軽減するので、小型のもので足りることになり、小型軽量化に有利になる。
【００４７】
以上、映像信号（圧縮データ）の記録にＨＤＤを用いる実施形態を説明したが、本発明は、フラッシュメモリを用いたメモリカードへの記録にも適用することができる。フラッシュメモリは、その特性上、書き込み動作に数百ｍＷ程度の電力を消費するが、本発明を用いればＨＤＤへの記録と同様に消費電力を軽減することができる。
【００４８】
また、本発明は、圧縮データを記録／再生する記録・再生媒体を着脱することができない記録手段を用いた映像記録装置にも適用することができる。
【図面の簡単な説明】
【００４９】
【図１】本発明になる携帯用ディジタルビデオカメラの回路ブロック図である。
【図２】本発明になる携帯用ディジタルビデオカメラの記録モード時におけるデータ圧縮，データ転送，データ書き込みのタイミングを示したタイムチャートである。
【図３】本発明になる携帯用ディジタルビデオカメラの記録モード時におけるデータ圧縮，データ転送，データ書き込み処理のフローチャートである。
【図４】本発明になる携帯用ディジタルビデオカメラにおけるＨＤＤの消費電力低減効果を示す特性図である。
【図５】本発明になる非常に小型携帯用ディジタルビデオカメラの縦断側面図である。
【符号の説明】
【００５０】
１…レンズ部、２…ＣＣＤ固体撮像素子、５…カメラＤＳＰ、６…カメラ制御マイコン、９…エンコーダ・デコーダ、１０…ワークメモリ、１１…記録・再生制御マイコン、１３…バッファメモリ、１５…ＨＤＤ。
【図１】
2006209958.tif 000003
【図２】
2006209958.tif 000004
【図３】
2006209958.tif 000005
【図４】
2006209958.tif 000006
【図５】
2006209958.tif 000007
【手続補正書】
【提出日】平成18年3月7日(2006.3.7)
【手続補正１】
【補正対象書類名】特許請求の範囲
【補正対象項目名】全文
【補正方法】変更
【補正の内容】
【特許請求の範囲】
【請求項１】
被写体を撮像し、映像信号を出力する撮像手段と、
該撮像手段から出力される映像信号をカメラ信号処理するカメラ信号処理手段と、
該カメラ信号処理手段から出力される映像信号を蓄積するバッファメモリと、
該バッファメモリに蓄積された映像信号を、記録ヘッドを用いて記録媒体に記録する記録手段と、
該バッファメモリに蓄積された映像信号を記録媒体に記録する記録動作状態と該記録動作を休止する休止状態とにより間欠記録を行わせる動作制御手段と、
を備え、
該動作制御手段は、該間欠記録中における記録動作の休止状態の期間は該記録ヘッドを該記録媒体の表面から待避させるように制御すること、
を特徴とする撮像装置。
【請求項２】
被写体を撮像し、映像信号を出力する撮像手段と、
該撮像手段から出力される映像信号を蓄積するバッファメモリと、
該バッファメモリに蓄積された映像信号を、記録ヘッドを用いて記録媒体に間欠記録する記録手段と、
を備え、
該間欠記録中における記録動作の休止状態の期間は該記録ヘッドを該記録媒体の表面から待避させること、
を特徴とする撮像装置。
【請求項３】
被写体を撮像し、記録ヘッドを用いて記録媒体に間欠記録する撮像装置であって、
該間欠記録中における記録動作の休止状態の期間は該記録ヘッドを該記録媒体の表面から待避させることを特徴とする撮像装置。
【請求項４】
請求項１ないし３のいずれかにおいて、
前記記録媒体はハードディスクであること、
を特徴とする撮像装置。
【請求項５】
請求項１ないし４のいずれかにおいて、
前記記録媒体は、該撮像装置に着脱自在に設けられたカード型のハードディスクであること、
を特徴とする撮像装置。
【請求項６】
請求項１ないし５のいずれかにおいて、
前記映像信号は動画像であること、
を特徴とする撮像装置。
【請求項７】
請求項１ないし６のいずれかにおいて、
前記カメラ信号処理手段から出力される映像信号を圧縮処理する圧縮処理手段を設け、
前記バッファメモリは、該圧縮処理手段から出力される圧縮処理された映像信号を蓄積すること、
を特徴とする撮像装置。
【請求項８】
請求項１ないし７のいずれかにおいて、
前記圧縮処理手段は、ＭＰＥＧ方式で圧縮処理すること、
を特徴とする撮像装置。